(57)【要約】【課題】車両走行時の加速度によってシェードとアクチュエータに作用するモーメントを均衡させ、アクチュエータに求められる駆動力を小さくし、小型のアクチュエータでシェードを確実に駆動する。【解決手段】車両用前照灯１において、リフレクタ５の前方に投影レンズ３を配置し、リフレクタ５の後方にソレノイド４を設置する。ソレノイド４と投影レンズ３との間にシェード６を設け、ソレノイド４のプランジャー１３によりアーム部材７を介して上下に駆動する。アーム部材７をシェード６とプランジャー１３の中間位置にて水平軸１５により揺動可能に支持し、車両走行時の加速度によりシェード６に作用するモーメントとプランジャー１３に作用するモーメントとを水平軸１５の周りで均衡させる。【選択図】図４
2015204199.tif 000002
【特許請求の範囲】
【請求項１】
リフレクタからの反射光を遮るシェードを移動可能に備えた車両用灯具において、
前記シェードを駆動するアクチュエータと、アクチュエータの動力をシェードに伝えるアーム部材と、アーム部材をアクチュエータとシェードの中間位置で揺動可能に支持する支持部材とを備えたことを特徴とする車両用灯具。
【請求項２】
前記リフレクタの前方に投影レンズを備え、リフレクタの後方にアクチュエータを設置した請求項１記載の車両用灯具。
【請求項３】
前記アクチュエータにソレノイドを使用し、ソレノイドのプランジャーを垂直方向へ移動可能に設けた請求項１又は２記載の車両用灯具。
【請求項４】
前記アーム部材をリフレクタの下側に配置し、アーム部材の後端をプランジャーに接続し、アーム部材の前端をシェードに連結した請求項３に記載の車両用灯具。
【請求項５】
前記アーム部材を一方向へ付勢するバネ部材を備え、バネ部材の付勢力によりアーム部材を介してプランジャーを下向きに付勢する請求項３又は４記載の車両用灯具。
【発明の詳細な説明】
【技術分野】
【０００１】
本発明は、リフレクタからの反射光を遮るシェードを移動可能に備えた車両用灯具に関する。
【背景技術】
【０００２】
従来、車両用灯具において、ソレノイドによりシェードを駆動する機構が知られている。例えば、図７に示す車両用前照灯のシェード駆動機構５１は、ソレノイド５２によりリンク５３を介してシェード５４を水平軸５５の周りで回動している。ソレノイド５２のプランジャー５６にはリンク５３の一端が結合され、リンク５３の他端がシェード５４の腕部５７に連結されている。そして、プランジャー５６によりリンク５３を平行移動し、シェード５４をロービーム位置とハイビーム位置とに切り替えるようになっている。
【０００３】
なお、特許文献1には、プロジェクター型の車両用前照灯において、可動シェードの上端縁を投影レンズの後側焦点面に沿って湾曲させ、図７と同様の駆動機構５１を用いて、可動シェードをその上端がブレないように駆動する技術が提案されている。
【先行技術文献】
【特許文献】
【０００４】
【特許文献１】特開２００６−２０２６９４号公報
【発明の概要】
【発明が解決しようとする課題】
【０００５】
ところで、車両の走行時には、可動部品に振動（加速度）が作用するため、ソレノイド５２の駆動力は、シェード５４およびプランジャー５６の質量と加速度を考慮して設定されている。しかし、従来のシェード駆動機構５１によると、リンク５３の両端が同じ方向へ並進移動するため、ソレノイド５２に、シェード５４とプランジャー５６の両方に作用する加速力の合計（Ｆａ＋Ｆｂ）に打ち勝つ大きさの吸引力Ｆｓが求められた。したがって、大型のソレノイド５２を使用する必要があり、アクチュエータの小型化が困難になるという問題点があった。
【０００６】
そこで、本発明の目的は、小型のアクチュエータでシェードを駆動できる機構を備えた車両用灯具を提供することにある。
【課題を解決するための手段】
【０００７】
上記課題を解決するために、本発明は、次のような車両用灯具を提供する。
（１）リフレクタからの反射光を遮るシェードを移動可能に備えた車両用灯具において、シェードを駆動するアクチュエータと、アクチュエータの動力をシェードに伝えるアーム部材と、アーム部材をアクチュエータとシェードの中間位置で揺動可能に支持する支持部材とを備えたことを特徴とする車両用灯具。
【０００８】
（２）リフレクタの前方に投影レンズを備え、リフレクタの後方にアクチュエータを設置したことを特徴とする上記１に記載の車両用灯具。
【０００９】
（３）アクチュエータにソレノイドを使用し、ソレノイドのプランジャーを垂直方向へ移動可能に設けたことを特徴とする上記１又は２に記載の車両用灯具。
【００１０】
（４）アーム部材をリフレクタの下側に配置し、アーム部材の後端をプランジャーに接続し、アーム部材の前端をシェードに連結したことを特徴とする上記３に記載の車両用灯具。
【００１１】
（５）アーム部材を一方向へ付勢するバネ部材を備え、バネ部材の付勢力によりアーム部材を介してプランジャーを下向きに付勢することを特徴とする上記３又は４に記載の車両用灯具。
【発明の効果】
【００１２】
本発明の車両用灯具によれば、アクチュエータの動力をシェードに伝えるアーム部材を揺動可能に支持したので、加速度によってシェードとアクチュエータに作用するモーメントを均衡させ、アクチュエータに求められる駆動力を小さくし、小型のアクチュエータでシェードを確実に駆動できるという効果がある。
【図面の簡単な説明】
【００１３】
【図１】本発明の一実施形態を示す車両用前照灯の斜視図である。
【図２】図１の車両用前照灯の正面図である。
【図３】図１の車両用前照灯の底面図である。
【図４】図２のＩＶ−ＩＶ線断面図である。
【図５】シェード駆動機構の動作を示す断面図である。
【図６】アーム部材の力学作用を示す説明図である。
【図７】従来のシェード駆動機構を示す概略図である。
【発明を実施するための形態】
【００１４】
以下、本発明を車両用前照灯に具体化した実施形態を図面に基づいて説明する。図１〜図３に示すように、この実施形態の車両用前照灯１は、ベース２の前端に投影レンズ３を備え、ベース２の後端にアクチュエータとしてのソレノイド４を装備している。ソレノイド４と投影レンズ３との間にはリフレクタ５が配置され、リフレクタ５の下側にシェード６が設けられている。そして、ベース２の下側に、ソレノイド４の動力をシェード６に伝えるアーム部材７（図３参照）が配置されている。
【００１５】
図４、図５に示すように、ベース２の上面にはＬＥＤ光源８が設置され、リフレクタ５に光源８からの光を投影レンズ３に向けて反射する反射面９が設けられている。シェード６は、リフレクタ５からの反射光の一部を遮る遮光部１０を備え、ソレノイド４によりアーム部材７を介して上下に駆動され、遮光部１０の上端縁が投影レンズ３の光軸Ａと同じ高さとなるロービーム位置（図４参照）と、上端縁が光軸Ａより下側となるハイビーム位置（図５参照）とに切り替えられる。
【００１６】
図３、図４に示すように、アーム部材７は四角枠状に形成され、その前端がシェード６に連結され、後端の突出部１２がソレノイド４のプランジャー１３に接続されている。アーム部材７の中間部には左右一対のボス部１４が形成され、ボス部１４に水平軸１５が貫通されている。そして、水平軸１５の両端がベース２の軸受部１６に支持され、支持部材としての水平軸１５によって、アーム部材７がシェード６とプランジャー１３の中間位置でベース２に揺動可能に支持されている。
【００１７】
プランジャー１３は、垂直方向へ移動可能に設けられ、ソレノイド４が励磁されたときに上方へ吸引される。水平軸１５には巻バネ１８が嵌挿され、その一端がベース２に係止され、他端がアーム部材７のバネ掛け１９に掛止されている。巻バネ１８は、アーム部材７を図４の時計回り方向へ付勢する弾発力を備え、ソレノイド４が消磁したときに、プランジャー１３を引き下げ、シェード６をロービーム位置に配置する。アーム部材７には、シェード６をロービーム位置に停止させるストッパ２０（図１、図３参照）がベース２の下面に当接するように設けられている。
【００１８】
上記構成の車両用前照灯１によれば、図６に示すように、車両走行時にシェード６とプランジャー１３の両方に同じ方向の加速度（振動）が作用するが、アーム部材７がシェード６とプランジャー１３の中間位置で水平軸１５により揺動可能に支持されているので、加速度によりシェード６に作用する力Ｆａのモーメントとプランジャー１３に作用する力Ｆｂのモーメントが水平軸１５の周りで均衡する。したがって、ソレノイド４に求められる吸引力Ｆｓを小さくし、小型のソレノイド４でシェード６を確実に駆動でき、もって、シェード駆動機構のコンパクト化を促進できる。
【００１９】
また、この実施形態の車両用前照灯１によれば、リフレクタ５の前方に投影レンズ３を配置し、リフレクタ５の後方にソレノイド４を設置したので、灯具全体の高さを低くし、車両用前照灯１を車体の限られたスペースにコンパクトに収めることができる。さらに、ソレノイド４のプランジャ１３を垂直方向へ移動可能に設けたので、車両用前照灯１の前後方向の長さを短縮でき、しかも、重力で巻バネ１９の弾発力を加勢し、プランジャー１３をスムーズに作動させることもできる。
【００２０】
なお、本発明は、車両用前照灯に限定されるものではなく、リフレクタからの反射光を遮るシェードを備えた各種の車両用灯具に適用して実施することができる。その他、光源に放電灯を用いたり、アクチュエータにリニアモータを使用したり、シェードの形状を適宜に変更したりするなど、本発明の趣旨を逸脱しない範囲で、各部の形状や構成を任意に変更して実施することも可能である。
【符号の説明】
【００２１】
１    車両用前照灯
２    ベース
３    投影レンズ
４    ソレノイド
５    リフレクタ
６    シェード
７    アーム部材
８    光源
１３    プランジャー
１５    支持部材としての水平軸
１８    巻バネ
【図１】
2015204199.tif 000003
【図２】
2015204199.tif 000004
【図３】
2015204199.tif 000005
【図４】
2015204199.tif 000006
【図５】
2015204199.tif 000007
【図６】
2015204199.tif 000008
【図７】
2015204199.tif 000009